(57)【要約】  【課題】ディスク装置の薄型化に対応しうるとともにコストダウンを図る。  【解決手段】光磁気ディスクに当接して摺接するスライダ６を備え、該スライダ６に搭載した電磁石９のコア８は、スライダ６が光磁気ディスクに当接した状態で当該光磁気ディスクのディスク面と平行した面内における最も長い長さ方向が、スライダ６の当接点における光磁気ディスクの半径方向とほぼ平行になるように装着することにより、ディスク装置の薄型化に対応しうるとともにコストダウンを図る。【選択図】図１
2005196827.tif 000002
【特許請求の範囲】
【請求項１】
光磁気効果を利用した情報媒体である光磁気ディスクの駆動回転時に、該光磁気ディスクに当接して摺接するとともに前記光磁気ディスクの回転方向に対し前記当接点におけるほぼ接線方向を長手方向とするサスペンションア−ムに支持されたスライダを備え、該スライダに搭載した磁気コアにより前記光磁気ディスクに磁界を付与する磁界変調ヘッドにおいて、
前記磁気コアは、前記スライダが前記光磁気ディスクに当接した状態で当該光磁気ディスクのディスク面と平行した面内における最も長い長さ方向が、前記スライダの当接点における前記光磁気ディスクの半径方向とほぼ平行になるように装着してなることを特徴とする磁界変調ヘッド。
【請求項２】
上記コアは、Ｅコアであることを特徴とする請求項１記載の磁界変調ヘッド。
【請求項３】
上記光磁気ディスクは、ミニディスクであることを特徴とする請求項１又は２記載の磁界変調ヘッド。
【発明の詳細な説明】
【技術分野】
【０００１】
本発明は、磁界変調ヘッドに関するものであり、特に、ディスク装置の薄型化に対応しうるとともにコストダウンを図ることが可能な磁界変調ヘッドに関するものである。
【背景技術】
【０００２】
従来の光磁気ディスク等に対する磁界変調ヘッドとして、例えば、次のようなものが知られている。この磁界変調ヘッドには、光磁気ディスクの駆動回転時に、該光磁気ディスクの表面に当接して摺接するとともに光磁気ディスクの回転方向に対し前記当接点におけるほぼ接線方向を長手方向とするサスペンションア−ムに支持されたプラスチック製のスライダが備えられている。このスライダには、Ｅコアのセンタコア部が挿入される貫通孔を有する中央受け部と、この中央受け部の先端から横方向に広がるフランジとからなるボビン部が一体的に形成されている。そして、このボビン部に巻装されたコイルと、長手方向が前記サスペンションア−ムの長手方向と同方向となるようにセンタコア部が前記貫通孔に挿入されたＥコアとで磁気コアが構成されている（例えば、特許文献１参照）。
【０００３】
ところで、ミニディスクのような小型の光磁気ディスクの出現等に伴って、これを装填して記録・再生等を行うディスク装置も薄型化が図られている。しかし、上記特許文献１に記載の磁界変調ヘッドにあっては、Ｅコアは、その長手方向が前記サスペンションア−ムの長手方向と同方向になっていたため、ディスク装置からの光磁気ディスクの排出時に、固定部を支点としたサスペンションア−ムの上方への回動により、磁気ヘッドが退避位置に向かって押上げられたとき、Ｅコアの上面前部が薄型化されたディスク装置の内壁面等に当接して、磁気ヘッドを所定位置まで退避させることができないという不具合が生じてしまう。
【０００４】
これに対し、例えば、図２及び図３に示すような磁界変調ヘッド１が考えられている。図２及び図３において、スライダ２の後部（図２の右端）は、図示省略のサスペンションア−ムの先端部に固定されており、そのスライダ２に、ボビンに巻装されたコイル３と、長手方向が前記サスペンションア−ムの長手方向と同方向になるように装着されたＥコア４とで構成された電磁石が搭載されている。前記Ｅコア４は、その長手方向がサスペンションア−ムの長手方向と同方向になっているので、光磁気ディスクへのスライダ２の当接点において、Ｅコア４の長手方向は、その光磁気ディスクへの半径方向Ｒに対しては直交する方向となっている。
【０００５】
そして、このＥコア４に対し、そのコア上面前部に斜めカット４ｃが施されるとともに、コア下面がスライダ２下面の湾曲形状に倣って、センタコア部４ａを可能な範囲で長く形成し、その両側方のサイドコア部４ｂ，４ｂを所要長さ短く形成した段差加工が施されている。センタコア部４ａを可能な範囲で長く形成しているのは、光磁気ディスクに与える磁界強度を弱めないためである。Ｅコア４の上面前部及び下面に、このような加工を施すことにより、ディスク装置からの光磁気ディスクの排出時に、サスペンションア−ムの上方への回動により、磁気ヘッドが退避位置に向かって押上げられても、Ｅコアの上面前部が薄型化されたディスク装置の内壁面等に当接するのを避けるとともに、光磁気ディスクに対するスライダ２の摺接動作を妨げないようにしている。
【特許文献１】特開平１１−２５４１１号公報（第２頁、図１〜２）。
【発明の開示】
【発明が解決しようとする課題】
【０００６】
しかしながら、ディスク装置の薄型化に対応しうるようにした図２及び図３に示す磁界変調ヘッドにあっては、コア上面前部に斜めカットを施していたため、加工工数がかかりコア単価が高くなる。また、コア下面にはセンタコア部とその両側方のサイドコア部間に段差加工を施していたため、加工ツ−ル代及び段差寸法管理工数がかかる。このため、コスト高を招くという問題があった。
【０００７】
そこで、ディスク装置の薄型化に対応しうるとともにコストダウンを図るために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、光磁気効果を利用した情報媒体である光磁気ディスクの駆動回転時に、該光磁気ディスクに当接して摺接するとともに前記光磁気ディスクの回転方向に対し前記当接点におけるほぼ接線方向を長手方向とするサスペンションア−ムに支持されたスライダを備え、該スライダに搭載した磁気コアにより前記光磁気ディスクに磁界を付与する磁界変調ヘッドにおいて、前記磁気コアは、前記スライダが前記光磁気ディスクに当接した状態で当該光磁気ディスクのディスク面と平行した面内における最も長い長さ方向が、前記スライダの当接点における前記光磁気ディスクの半径方向とほぼ平行になるように装着してなる磁界変調ヘッドを提供する。
【０００９】
この構成によれば、光磁気ディスクに対するスライダの当接点において、サスペンションア−ムは、その長手方向が、光磁気ディスクの回転方向に対する接線の方向と同方向になるように配置されている。これに対し、コアは、その最も長い長さ方向が、光磁気ディスクの半径方向とほぼ平行になるように装着されている。したがって、コアの最も長い長さ方向と、サスペンションア−ムの長手方向とは、直交した関係となっている。このため、コアの上面前部がスライダ上面から特に突出するということがなく、ディスク装置からの光磁気ディスクの排出時に、固定部を支点としたサスペンションア−ムの上方への回動により、ヘッドが退避位置に向かって押上げられても、コアの上面前部は、薄型化されたディスク装置の内壁面等に当接しない。また、サスペンションア−ムの長手方向と同方向のコアの幅は小さい。このため、コアの下面を、スライダ下面の湾曲形状に倣って加工を施さなくても、スライダの摺接機能は損なわれることがない。
【００１０】
請求項２記載の発明は、上記コアは、Ｅコアである請求項１記載の磁界変調ヘッドを提供する。
【００１１】
この構成によれば、Ｅコアは、センタコア部の両側方にサイドコア部を備えているので、その長手方向の長さは、この長手方向に直交する方向の幅に比べてかなり大きい。このような長さと幅を持つＥコアの長手方向を、スライダの当接点における光磁気ディスクの半径方向とほぼ平行、即ちサスペンションア−ムの長手方向と直交する向きに装着することで、コアの上面前部がスライダ上面から突出することがなくなる。このため、ディスク装置からの光磁気ディスクの排出時に、固定部を支点としたサスペンションア−ムの上方への回動により、ヘッドが退避位置に向かって押上げられても、コアの上面前部が薄型化されたディスク装置の内壁面等に当接するということが全くなくなる。また、コア下面におけるセンタコア部とその両側方のサイドコア部間に、スライダ下面の湾曲形状に倣って、段差加工を施さなくても、スライダの摺接機能は損なわれることがない。
【００１２】
請求項３記載の発明は、上記光磁気ディスクは、ミニディスクである請求項１又は２記載の磁界変調ヘッドを提供する。
【００１３】
この構成によれば、ディスク装置が、小型のミニディスクに対応して、薄型化されたものであっても、コアの上面前部がスライダ上面から突出しないことから、そのディスク装置からの光磁気ディスクの排出時に、固定部を支点としたサスペンションア−ムの上方への回動により、ヘッドが退避位置に向かって押上げられても、コアの上面前部は、ディスク装置の内壁面等に当接しない。
【発明の効果】
【００１４】
請求項１記載の発明は、電磁石のコアは、前記スライダが前記光磁気ディスクに当接した状態で当該光磁気ディスクのディスク面と平行した面内における最も長い長さ方向が、スライダの当接点における前記光磁気ディスクの半径方向とほぼ平行になるように装着したので、ヘッドが退避位置にあるとき、コアの上面前部が薄型化されたディスク装置の内壁面等に当接しない。このため、コア上面前部の斜めカット工程を省くことができて、加工及び管理工数の低減によるコア単価の低コスト化を図ることができ、また、コアの下面を、スライダ下面の湾曲形状に倣って加工を施こす必要がないことから、加工ツ−ル不要による初期費用を低減することができる。したがって、ディスク装置の薄型化に対応しうるとともにコストダウンを図ることができるという利点がある。
【００１５】
請求項２記載の発明は、上記コアは、Ｅコアとしたので、上記請求項１記載の発明の効果に加えてさらに、コア下面におけるセンタコア部とその両側方のサイドコア部間に、スライダ下面の湾曲形状に倣って、加工費用が嵩む段差加工を施さなくても、スライダの摺接機能は損なわれないことから、一層のコストダウンを図ることができるという利点がある。
【００１６】
請求項３記載の発明は、上記光磁気ディスクは、ミニディスクとしたので、上記請求項１又は２記載の発明の効果に加えてさらに、ディスク装置が、小型のミニディスクに対応して、薄型化されたものであっても、適切に対応することができるという利点がある。
【発明を実施するための最良の形態】
【００１７】
ディスク装置の薄型化に対応しうるとともにコストダウンを図るという目的を、光磁気効果を利用した情報媒体である光磁気ディスクの駆動回転時に、該光磁気ディスクに当接して摺接するとともに前記光磁気ディスクの回転方向に対し前記当接点におけるほぼ接線方向を長手方向とするサスペンションア−ムに支持されたスライダを備え、該スライダに搭載した電磁石のＥコアは、その長手方向を前記当接点における前記光磁気ディスクの半径方向とほぼ平行になるように装着することにより実現した。
【実施例１】
【００１８】
以下、本発明の実施例１を図面に従って詳述する。図１は、本実施例に係る磁界変調ヘッドの平面図及びＥコア部分の正面図である。本実施例は、ミニディスクからなる光磁気ディスクに適用され、また、電磁石のコアとしてＥコアが適用されている。
【００１９】
まず、本実施例に係る磁界変調ヘッドの構成を説明する。図示省略のディスク装置は、小型のミニディスクに対応して薄型化されている。このようなディスク装置内に、前記小型のミニディスクからなる光磁気ディスク（以下、単に光磁気ディスクと言う）に対し、情報の記録・消去等の際に所要強度の磁界を付与するための図１（ａ）に示すような磁界変調ヘッド５が装備されている。磁界変調ヘッド５には、プラスチック製のスライダ６が備えられ、該スライダ６の後端（図１（ａ）の右端）は、ディスク装置内の所定部位に一端が固定された弾性を有する図示省略のサスペンションア−ムの先端部に固定されている。
【００２０】
スライダ６は、記録・消去等の所要時に、固定部を支点とした前記サスペンションア−ムの下方への回動により、前記ディスク装置に装填された光磁気ディスクの表面に当接し、後述するＥコアの下面を当該光磁気ディスクの表面から僅かに浮かしつつ、駆動回転される光磁気ディスクの表面に摺接するものである。前記サスペンションア−ムは、その長手方向が、前記スライダ６の当接点における前記光磁気ディスクの回転方向に対し接線となる方向Ｔとほぼ同方向となるように配置されている。
【００２１】
そして、前記スライダ６上には、ボビン７に巻装された図示省略のコイルと、前記ボビン７にセンタコア部８ａが挿入されたＥコア８とで構成されている。Ｅコア８は、その長手方向が、スライダ６の当接点における光磁気ディスクの半径方向Ｒとほぼ平行、即ち前記サスペンションア−ムの長手方向とほぼ直交する方向に装着されている。
【００２２】
前記Ｅコア８は、図１（ｂ）に示すように、センタコア部８ａの両側方にサイドコア部８ｂ，８ｂを備えている。このような構成を持つことから、Ｅコア８の長手方向の長さは、この長手方向と直交する方向の幅に比べてかなり大きい。このような寸法関係の長さと幅を持つＥコア８の長手方向を、スライダ６の当接点における光磁気ディスクの半径方向とほぼ平行に装着することで、Ｅコア８の上面前部は、スライダ６の上面から突出しない構成となっている。また、前記当接点における前記光磁気ディスクの回転方向に対する接線方向Ｔと同方向の前記Ｅコア８の幅は、上記のように小さい。このため、Ｅコア８の下面には、スライダ６下面の湾曲形状に倣った加工は施されていない。
【００２３】
次に、上述のように構成された磁界変調ヘッド５の作用を説明する。光磁気ディスクに与えられる磁界強度は、Ｅコア８のセンタコア部８ａから出る磁束によってほぼ決まる。したがって、Ｅコア８の長手方向の向きを、光磁気ディスクの半径方向Ｒと直交する方向（前記図２参照）から光磁気ディスクの半径方向Ｒと平行する方向（図１（ａ））に変えても、光磁気ディスクに対する電磁石９の磁界付与作用は変わらない。
【００２４】
そして、例えば、光磁気ディスクへの情報の記録は、駆動回転される光磁気ディスクに対し、その表面側にスライダ６を当接させて摺接させつつ、磁界変調ヘッド５により、所要強度で、且つ所定方向の磁界を印加し、裏面側から図示省略のレ−ザ光源からのレ−ザ光で微小領域を加熱して磁化反転部分（記録ビット）を作ることにより行う。このような動作時において、前述のように、Ｅコア８の下面にスライダ６下面の湾曲形状に倣った加工が施されていなくても、スライダ６の摺接機能は何ら損なわれることがない。
【００２５】
上記のような光磁気ディスクへの情報記録等の終了後、光磁気ディスクの回転が停止され、ディスク装置からの光磁気ディスクの排出時には、図示省略のピン等の作用により、前記サスペンションア−ムが固定部を支点として上方へ回動し、磁界変調ヘッド５は、退避位置に向かって押上げられる。このとき、前述のように、Ｅコア８の上面前部は、スライダ６の上面前部に突出していないので、Ｅコア８の上面前部が薄型化されたディスク装置の内壁面等に当接するということが全くなく、磁界変調ヘッド５は所定位置まで退避される。
【００２６】
上述したように、本実施例に係る磁界変調ヘッドにおいては、磁界変調ヘッド５が退避位置にあるとき、Ｅコア８の長手方向上面前部が薄型化されたディスク装置の内壁面等に当接しないことから、Ｅコア８の長手方向上面前部の斜めカット工程を省くことができて、加工及び管理工数の低減によるコア単価の低コスト化を図ることができる。また、Ｅコア８下面におけるセンタコア部８ａとその両側方のサイドコア部８ｂ，８ｂ間に、スライダ６下面の湾曲形状に倣って、加工費用が嵩む段差加工を施さなくても、スライダ６の摺接機能は損なわれないことから、一層のコストダウンを図ることができる。
【００２７】
なお、本発明は、本発明の精神を逸脱しない限り種々の改変をなすことができ、そして、本発明が該改変されたものにも及ぶことは当然である。
【図面の簡単な説明】
【００２８】
【図１】（ａ）は本発明の実施例１に係る磁界変調ヘッドの平面図、（ｂ）は同ヘッ            ドにおけるＥコア部分の正面図。
【図２】従来の磁界変調ヘッドの平面図。
【図３】図２の一部断面正面図。
【符号の説明】
【００２９】
５    磁界変調ヘッド
６    スライダ
８    Ｅコア
９    電磁石
【図１】
2005196827.tif 000003
【図２】
2005196827.tif 000004
【図３】
2005196827.tif 000005